(57)【特許請求の範囲】
【請求項１】
コンクリート部材に埋設されたインサートと、長さ方向に隣合う前記コンクリート部材の連結部を跨いで配置される連結具本体と、前記連結部の両側で前記連結具本体の長さ方向一側と他側に設けられた挿通孔と、前記挿通孔に挿通され前記インサートに螺合するボルトとを備えたコンクリート部材用連結具において、前記連結具本体の外面に、長さ方向に傾斜した傾斜面を設け、前記挿通孔が前記傾斜面に設けられ、前記連結具本体は一側と他側に一側本体と他側本体を有し、これら一側本体と他側本体は、前記連結部側に設けられ外側に向かって高くなる傾斜面と、この傾斜面の外側に設けられ外側に向かって低くなる傾斜面とを有することを特徴とするコンクリート部材用連結具。
【請求項２】
コンクリート部材に埋設されたインサートと、長さ方向に隣合う前記コンクリート部材の連結部を跨いで配置される連結具本体と、前記連結部の両側で前記連結具本体の長さ方向一側と他側に設けられた挿通孔と、前記挿通孔に挿通され前記インサートに螺合するボルトとを備えたコンクリート部材用連結具において、前記連結具本体の外面に、長さ方向に傾斜した傾斜面を設け、前記挿通孔が前記傾斜面に設けられ、前記連結具本体の一側と他側に一側本体と他側本体を設け、これら一側本体と他側本体は、前記連結部側に設けられ外側に向かって低くなる傾斜面と、この傾斜面の外側に設けられ外側に向かって高くなる傾斜面とを有することを特徴とするコンクリート部材用連結具。
【請求項３】
コンクリート部材に埋設されたインサートと、長さ方向に隣合う前記コンクリート部材の連結部を跨いで配置される連結具本体と、前記連結部の両側で前記連結具本体の長さ方向一側と他側に設けられた挿通孔と、前記挿通孔に挿通され前記インサートに螺合するボルトとを備えたコンクリート部材用連結具において、前記連結具本体の外面に、長さ方向に傾斜した傾斜面を設け、前記挿通孔が前記傾斜面に設けられ、前記連結具本体には、前記連結部の両側に、外側に向かって低くなる傾斜面を設けたことを特徴とするコンクリート部材用連結具。
【請求項４】
前記傾斜面に設けた挿通孔の少なくとも一つを長さ方向に長く形成したことを特徴とする請求項１〜３のいずれか１項に記載のコンクリート部材用連結具。
【請求項５】
前記一側本体と前記他側本体を回動可能に連結したことを特徴とする請求項１又は２記載のコンクリート部材用連結具。
【請求項６】
前記ボルトの頭部と前記傾斜面との間にテーパーワッシャを設けたことを特徴とする請求項１〜５のいずれか１項に記載のコンクリート部材用連結具。
【請求項７】
コンクリート部材に埋設されたインサートと、長さ方向に隣合う前記コンクリート部材の連結部を跨いで配置される連結具本体と、前記連結部の両側で前記連結具本体の長さ方向一側と他側に設けられた挿通孔と、前記挿通孔に挿通され前記インサートに螺合するボルトとを備えたコンクリート部材用連結具を用い、
前記連結具本体の外面に、長さ方向に傾斜した傾斜面を設け、前記挿通孔の少なくとも一つが前記傾斜面に設けられ、
前記長さ方向に隣合うコンクリート部材の一方が円柱体であり、他方のコンクリート部材の連結部を前記円柱体に対応して湾曲状に形成し、前記連結具本体の一側を前記円柱体に対応して湾曲状に形成し、前記連結具本体の一側の前記挿通孔を長さ方向に長く形成し、前記連結具本体の他側に前記傾斜面を設け、前記インサートにより前記他方のコンクリート部材に前記連結具本体の他側を連結し、前記インサートにより前記円柱体に前記連結具本体の一側を連結したことを特徴とするコンクリート部材の連結構造。
【発明の詳細な説明】
【技術分野】
【０００１】
本発明は、コンクリート部材同士を連結するコンクリート部材用連結具とコンクリート部材の連結構造に関する。
【背景技術】
【０００２】
プレキャスト製のコンクリート部材は、工場において、型枠を用いて製造され、現場打ちコンクリートに比べて品質が安定する利点がある。そして、現場でプレキャスト製のコンクリート部材を設置する場合、隣合うコンクリートブロックの接合端面同士を突き合わせ、前記接合面端間に跨るように連結具を配置し、その連結具を両コンクリートブロックにボルトにより固定し、一方のボルトを長孔に挿通したもの（例えば特許文献１）が提案されている。
【０００３】
ところで、現場に合わせた角度にコンクリート部材を製造するためには、異なる角度に合わせて型枠を製造する必要があり、コスト高になる問題があるため、角度に合わせて分割したコンクリート部材を現場で組み立てることが行われている。例えば、ブロックの接合端面を斜めに形成し、この接合端面の一側でブロック同士を兆番構造により連結し、この兆番構造を支点にしてブロックを角度調整可能とし、ブロック部材同士を連結具により連結するコーナーブロック（例えば特許文献２）が提案されている。
【先行技術文献】
【特許文献】
【０００４】
【特許文献１】特開２００５−２６４４７５号公報
【特許文献２】特開平９−２９６４６１号公報
【発明の概要】
【発明が解決しようとする課題】
【０００５】
上記両従来技術では、コンクリート部材にインサートを設け、連結具にボルトを挿通し、このボルトを前記インサートに螺合することにより、コンクリート部材同士を接合することができるが、単に連結具に挿通したボルトをインサートに螺合するだけでは、コンクリート部材同士を強固に連結することができない。
【０００６】
ところで、特許文献２のコーナーブロックでは、ヒンジ結合により角度を調整することができるが、ブロックの端部に切欠き部とこの切欠き部に噛み合う凸部を設け、両ブロックの凸部を軸棒により軸着しており、ブロックの構造が複雑になると共に、連結強度が低いという問題がある。
【０００７】
そこで、本発明は上記した問題点に鑑み、連結強度に優れ、コンクリート部材同士を密着状態で連結することができるコンクリート部材用連結具とコンクリート部材の連結構造を提供することを目的とする。
【課題を解決するための手段】
【０００８】
上記目的を達成するために、請求項１に係る発明は、コンクリート部材に埋設されたインサートと、長さ方向に隣合う前記コンクリート部材の連結部を跨いで配置される連結具本体と、前記連結部の両側で前記連結具本体の長さ方向一側と他側に設けられた挿通孔と、前記挿通孔に挿通され前記インサートに螺合するボルトとを備えたコンクリート部材用連結具において、前記連結具本体の外面に、長さ方向に傾斜した傾斜面を設け、前記挿通孔が前記傾斜面に設けられ、前記連結具本体は一側と他側に一側本体と他側本体を有し、これら一側本体と他側本体は、前記連結部側に設けられ外側に向かって高くなる傾斜面と、この傾斜面の外側に設けられ外側に向かって低くなる傾斜面とを有する。
【０００９】
また、請求項２に係る発明は、コンクリート部材に埋設されたインサートと、長さ方向に隣合う前記コンクリート部材の連結部を跨いで配置される連結具本体と、前記連結部の両側で前記連結具本体の長さ方向一側と他側に設けられた挿通孔と、前記挿通孔に挿通され前記インサートに螺合するボルトとを備えたコンクリート部材用連結具において、前記連結具本体の外面に、長さ方向に傾斜した傾斜面を設け、前記挿通孔が前記傾斜面に設けられ、前記連結具本体の一側と他側に一側本体と他側本体を設け、これら一側本体と他側本体は、前記連結部側に設けられ外側に向かって低くなる傾斜面と、この傾斜面の外側に設けられ外側に向かって高くなる傾斜面とを有することを特徴とする。
【００１０】
また、請求項３に係る発明は、コンクリート部材に埋設されたインサートと、長さ方向に隣合う前記コンクリート部材の連結部を跨いで配置される連結具本体と、前記連結部の両側で前記連結具本体の長さ方向一側と他側に設けられた挿通孔と、前記挿通孔に挿通され前記インサートに螺合するボルトとを備えたコンクリート部材用連結具において、前記連結具本体の外面に、長さ方向に傾斜した傾斜面を設け、前記挿通孔が前記傾斜面に設けられ、前記連結具本体には、前記連結部の両側に、外側に向かって低くなる傾斜面を設けたことを特徴とする。
【００１１】
また、請求項４に係る発明は、前記傾斜面に設けた挿通孔の少なくとも一つを長さ方向に長く形成したことを特徴とする。
【００１２】
また、請求項５に係る発明は、前記一側本体と前記他側本体を回動可能に連結したことを特徴とする。
【００１３】
また、請求項６に係る発明は、前記ボルトの頭部と前記傾斜面との間にテーパーワッシャを設けたことを特徴とする。
【００１４】
また、請求項７に係る発明は、コンクリート部材に埋設されたインサートと、長さ方向に隣合う前記コンクリート部材の連結部を跨いで配置される連結具本体と、前記連結部の両側で前記連結具本体の長さ方向一側と他側に設けられた挿通孔と、前記挿通孔に挿通され前記インサートに螺合するボルトとを備えたコンクリート部材用連結具を用い、前記連結具本体の外面に、長さ方向に傾斜した傾斜面を設け、前記挿通孔の少なくとも一つが前記傾斜面に設けられ、前記長さ方向に隣合うコンクリート部材の一方が円柱体であり、他方のコンクリート部材の連結部を前記円柱体に対応して湾曲状に形成し、前記連結具本体の一側を前記円柱体に対応して湾曲状に形成し、前記連結具本体の一側の前記挿通孔を長さ方向に長く形成し、前記連結具本体の他側に前記傾斜面を設け、前記インサートにより前記他方のコンクリート部材に前記連結具本体の他側を連結し、前記インサートにより前記円柱体に前記連結具本体の一側を連結したことを特徴とする。
【発明の効果】
【００１５】
本発明の請求項１〜３に記載のコンクリート部材用連結具によれば、隣合うコンクリート部材のインサートにボルトを螺合することにより、隣合うコンクリート部材を連結具本体により連結することができる。そして、ボルトが傾斜面に係止することにより、連結具本体を傾斜面が高くなる方向に動かす力が加わっても、これに対抗することができる。
【００１６】
また、本発明の請求項１に記載のコンクリート部材用連結具によれば、一側本体と他側本体がそれぞれ略山形形状をなし、ボルトを締めると、楔作用によりインサートを傾斜面が低くなる方向に動かす力が生じる。そして、外側に向かって高くなる傾斜面のボルトを締めて端面同士を密着した後、外側に向かって低くなる傾斜面のボルトを締めることにより、コンクリート部材同士を強固に連結することができる。
【００１７】
また、本発明の請求項２に記載のコンクリート部材用連結具によれば、一側本体と他側本体がそれぞれ略Ｖ形状をなし、ボルトを締めると、楔作用によりインサートを傾斜面が低くなる方向に動かす力が生じる。そして、外側に向かって高くなる傾斜面のボルトを締めて端面同士を密着した後、外側に向かって低くなる傾斜面のボルトを締めることにより、コンクリート部材同士を強固に連結することができる。
【００１８】
また、本発明の請求項３に記載のコンクリート部材用連結具によれば、両側の傾斜面により略山形をなし、外側に向かって低くなる傾斜面のボルトを締めることにより、コンクリート部材同士を連結することができる。
【００１９】
また、本発明の請求項４に記載のコンクリート部材用連結具によれば、傾斜面の挿通孔に挿通したボルトを締めると、楔作用によりインサートを傾斜面が低くなる方向に動かす力が生じ、これによりコンクリート部材同士を近付け、或いは離す調節を行うことができる。また、挿通孔を長さ方向に長く形成したから、挿通孔の任意の位置にボルトを挿通することができると共に、コンクリート部材の配筋を回避した位置にインサートを設けることができる。
【００２０】
また、本発明の請求項５に記載のコンクリート部材用連結具によれば、一側と他側のコンクリート部材のなす角度に対応して、一側本体と他側本体の角度を調節することができる。
【００２１】
また、本発明の請求項６に記載のコンクリート部材用連結具によれば、ボルトの締め付け力をテーパーワッシャにより傾斜面に伝えることができる。
【００２２】
また、本発明の請求項７に記載のコンクリート部材用連結具によれば、長孔におけるボルトの位置を調整することにより、円柱体を中心に他方のコンクリート部材の向きを調整することができる。これにより円柱体にもう一つのコンクリート部材を連結することにより、コンクリート部材同士の角度を調整して連結することができる。
【図面の簡単な説明】
【００２３】
【図１】本発明の実施例１を示すコンクリート部材の連結構造の平面図である。
【図２】同上、コンクリート部材の側面図である。
【図３】同上、連結具の一部切欠き平面図である。
【図４】同上、連結具の正面図である。
【図５】同上、連結具の要部の断面図である。
【図６】本発明の実施例２を示すコンクリート部材の連結構造の平面図である。
【図７】同上、コンクリート部材の側面図である。
【図８】同上、コンクリート部材の連結構造の正面図である。
【図９】本発明の実施例３を示す連結具の正面図である。
【図１０】同上、連結具の平面図である。
【図１１】本発明の実施例４を示す一部を断面にしたコンクリート部材の連結構造の平面図である。
【図１２】本発明の実施例５を示す一部を断面にしたコンクリート部材の平面図である。
【図１３】同上、一部を断面にしたコンクリート部材の連結構造の平面図である。
【図１４】本発明の実施例６を示す一部を断面にしたコンクリート部材の連結構造の平面図である。
【図１５】同上、連結具とコンクリート部材の平面図である。
【図１６】同上、連結具の正面図である。
【図１７】同上、連結具とコンクリート部材の正面図である。
【図１８】本発明の実施例７を示す連結部材の平面図である。
【図１９】同上、使用状態の斜視図である。
【図２０】本発明の実施例８を示す連結部材の平面図である。
【図２１】同上、使用状態の斜視図である。
【図２２】本発明の実施例９を示す連結部材の平面図である。
【図２３】同上、連結具の正面図である。
【図２４】本発明の実施例１０を示す連結部材の平面図である。
【発明を実施するための形態】
【００２４】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な構成を採用することにより、従来にない機能を付加したコンクリート部材用連結具が得られ、そのコンクリート部材用連結具を夫々記述する。
【実施例１】
【００２５】
以下、図面を参照して、本発明の実施例１について説明する。図１〜図５に示すように、本実施例のコンクリート部材用連結具は、例えばコンクリート部材であるＬ型擁壁１のコーナー部に用いられ、そのＬ型擁壁１のコーナー部は、一側と他側のコンクリート部材２，２を連結してなり、このコンクリート部材２は、底板部３と、この底板部３の端部から立設した側板部４とを一体に有し、それらコンクリート部材２，２の連結部たる端面５，５は長さ方向に対して斜めに形成されており、この例では長さ方向に対する角度θを４５度としている。
【００２６】
前記コンクリート部材２，２を連結する連結具11は、金属製の連結具本体12と、前記コンクリート部材２に埋設固定したインサート13と、前記連結具本体12を前記インサート13に固定するボルト14とを備える。この例では、前記連結具本体12は、一側本体15と他側本体16とに分割され、一側本体15は一側のコンクリート部材２に固定され、他側本体16は他側のコンクリート部材２に連結される。
【００２７】
前記一側本体15と他側本体16は同一形状をなし、その中央側端部に筒部17を設け、相互の筒部17，17に枢軸18を挿入し、該枢軸18を中心に一側本体15と他側本体16を回動可能に連結している。また、前記一側本体15と他側本体16の内面は平坦面をなし、その外面は長さ方向中央から両側に低くなる上り傾斜面21と下り傾斜面22を有し、これら上り及び下り傾斜面21，22にボルト14を挿通する挿通孔たる長孔23，24をそれぞれ穿設し、これら長孔23，24は長さ方向に長く形成されている。そして、コンクリート部材２内の配筋によりインサート13の位置が制約を受ける場合でも、挿通孔を長孔23，24にすることにより、ボルト14をインサート13に螺合することができる。
【００２８】
前記上り及び下り傾斜面21，22はほぼ同一傾斜角を有している。また、前記ボルト14の頭部14Ｔと、前記上り及び下り傾斜面21，22との間には、該ボルト14を挿通するテーパーワッシャ25を設け、このテーパーワッシャ25は前記頭部14Ｔの下面14Ｋに当接する上当接面25Ｕと、前記上り及び下り傾斜面21，22に当接する下当接部25Ｓとを備え、これら上，下当接面25Ｕ，25Ｓ同士は上り及び下り傾斜面21，22とほぼ同一角度をなす。
【００２９】
また、前記インサート13は少なくとも前記長孔23，24の数に対応して設けられ、この例では、長孔23，24の数より多い３つのインサート13，13，13が等間隔でコンクリート部材２に設けられている。
【００３０】
次に、前記連結具の使用方法について説明する。端面５，５を当接するようにしてコンクリート部材２，２を配置し、側板部４，４の内面に一側本体15と他側本体16を添わせ、上り及び下り傾斜面21，22にボルト14を挿通し、このボルト14をインサート13に螺合する。この場合、先に上り傾斜面21に挿通したボルト14を締める。こうするとテーパーワッシャ付のボルト14と上り傾斜面21との楔作用により、一側本体15と他側本体16を外側に動かす力が生じ、これによりインサート13，13によりコンクリート部材２，２同士を近付ける方向の力が得られ、両端面５，５同士が密着させる。この後、残りのボルト14を締める。
【００３１】
このように本実施例では、請求項１に対応して、コンクリート部材２に埋設されたインサート13と、長さ方向に隣合うコンクリート部材２，２の連結部たる端面５，５を跨いで配置される連結具本体12と、端面５，５の両側で連結具本体12の長さ方向一側と他側に設けられた挿通孔たる長孔23，24と、長孔23，24に挿通されインサート13に螺合するボルト14とを備えたコンクリート部材用連結具において、連結具本体12の外面に、長さ方向に傾斜した上り及び下り傾斜面21，22を設け、長孔23，24の少なくとも一つが上り及び下り傾斜面21，22に設けられているから、隣合うコンクリート部材２，２のインサート13，13にボルト14，14を螺合することにより、隣合うコンクリート部材２，２を連結具本体12により連結することができる。そして、ボルト14，14が上り及び下り傾斜面21，22に係止することにより、連結具本体12を上り及び下り傾斜面21，22が高くなる方向に動かす力が加わっても、これに対抗することができる。
【００３２】
また、このように本実施例では、請求項４に対応して、上り及び下り傾斜面21，22に設けた挿通孔の少なくとも一つを長さ方向に長く形成し、具体的には挿通孔たる長孔23，24を長さ方向に長く形成したから、上り及び下り傾斜面21，22の長孔23，24に挿通したボルト14，14を締めると、楔作用によりインサート13，13を上り傾斜面21，22が低くなる方向に動かす力が生じ、これによりコンクリート部材２，２同士を近付け、或いは離す調節を行うことができる。また、長孔23，24を長さ方向に長く形成したから、長孔23，24の任意の位置にボルト14，14を挿通することができると共に、コンクリート部材２，２の配筋を回避した位置にインサート13を設けることができる。
【００３３】
また、このように本実施例では、請求項１に対応して、連結具本体12は一側と他側に一側本体15と他側本体16を有し、これら一側本体15と他側本体16は、連結部たる端面５，５側に設けられ外側に向かって高くなる傾斜面たる上り傾斜面21と、この上り傾斜面21の外側に設けられ外側に向かって低くなる傾斜面である下り傾斜面22とを有するから、一側本体15と他側本体16がそれぞれ略山形形状をなし、ボルト14を締めると、楔作用によりインサート13を上り傾斜面21が低くなる方向に動かす力が生じる。そして、外側に向かって高くなる上り傾斜面21のボルト14を締めて端面５，５同士を密着した後、外側に向かって低くなる下り傾斜面22のボルト14を締めることにより、コンクリート部材２，２同士を強固に連結することができる。
【００３４】
また、このように本実施例では、連結具本体12の一側と他側に傾斜面たる上り傾斜面21，21を設けると共に、上り傾斜面21，21に挿通孔たる長孔23，23を設け、一側と他側の上り傾斜面21，21が外側に向かって高くなる傾斜をなすから、ボルト14を締めると、楔作用によりインサート13を上り傾斜面21が低くなる方向に動かす力が生じ、これによりコンクリート部材２，２の端面５，５同士を密着することができる。
【００３５】
また、このように本実施例では、連結具本体12の一側と他側に傾斜方向の異なる上り及び下り傾斜面21，22をそれぞれ設け、これら上り及び下り傾斜面21，22に挿通孔たる長孔23，24を設けたから、外側に向かって高くなる上り傾斜面21のボルト14を締めて端面５，５同士を密着した後、残りのボルト14を締めることにより、コンクリート部材２，２同士を強固に連結することができる。
【００３６】
また、このように本実施例では、請求項５に対応して、連結具本体12を一側と他側に分割した一側本体15と他側本体16を形成し、これら一側本体15と他側本体16を回動可能に連結したから、一側と他側のコンクリート部材２，２のなす角度に対応して、一側本体15と他側本体16の角度を調節することができる。
【００３７】
また、このように本実施例では、請求項６に対応して、ボルト14の頭部14Ｔと上り及び下り傾斜面21，22との間にテーパーワッシャ25を設けたから、ボルト14の締め付け力をテーパーワッシャ25により傾斜面21，22に伝えることができる。
【実施例２】
【００３８】
図６〜図８は、本発明の実施例２を示し、上記実施例１と同一部分に同一符号を付し、その詳細な説明を省略して詳述する。この例のコンクリート部材31はボックスカルバートであり、底板部32と両側板部33，33と頂板部34とを有し、連結部たる端面35が長さ方向に対して斜めに形成されている。また、この例では前記両側板33，33の外面で上下に前記連結具11を配置する。
【００３９】
そして、実施例１と同様に、先に上り傾斜面21に挿通したボルト14を締めて端面５，５同士を密着させ、この後、下り傾斜面22に挿通したボルト14を締めてコンクリート部材31，31同士を連結する。
【００４０】
このように本実施例においては、コンクリート部材31に埋設されたインサート13と、長さ方向に隣合うコンクリート部材31，31の連結部たる端面35，35を跨いで配置される連結具本体12と、端面５，５の両側で連結具本体12の長さ方向一側と他側に設けられた挿通孔たる長孔23，24と、長孔23，24に挿通されインサート13に螺合するボルト14とを備えたコンクリート部材用連結具において、連結具本体12の外面に、長さ方向に傾斜した上り及び下り傾斜面21，22を設け、長孔23，24の少なくとも一つが上り及び下り傾斜面21，22に設けられているから、上記実施例１と同様な作用・効果を奏する。
【実施例３】
【００４１】
図９及び図１０は、本発明の実施例３を示し、上記各実施例と同一部分に同一符号を付し、その詳細な説明を省略して詳述する。この例では、一側本体15Ａが平板状に形成されており、その一側本体15Ａに円形の挿通孔36を複数穿設している。また、前記一側本体15Ａに挿通するボルト14には、テーパーワッシャを用いない。
【００４２】
そして、一側本体15Ａの挿通孔36に挿通したボルト14を締めた後、先に上り傾斜面21の長孔23に挿通したボルト14を締め、次に下り傾斜面22の長孔24に挿通したボルト14を締める。
【００４３】
このように本実施例においては、連結具本体12の外面に、長さ方向に傾斜した上り及び下り傾斜面21，22を設け、長孔23，24の少なくとも一つが上り及び下り傾斜面22，22に設けられているから、上記各実施例と同様な作用・効果を奏し、また、この例では一側本体15Ａをボルト14によりコンクリート部材に固定した後、他側本体16に挿通したボルト14をインサート13に螺合することにより、コンクリート部材の端面同士を密着させることができる。
【実施例４】
【００４４】
図１１は、本発明の実施例４を示し、上記各実施例と同一部分に同一符号を付し、その詳細な説明を省略して詳述する。この例では、インサート13の取付位置を調整し、コンクリート部材２の端面５の外側を接した状態で、端面５，５間に間隔を設け、コンクリート部材２，２同士がなす角度θ１を前記角度θの２倍より大きくなるように配置し、コンクリート部材２，２同士を連結具11により連結している。この場合、上り傾斜面21の長孔23に挿通したボルト14を先に締めると、前記角度θ１が狭まり、下り傾斜面22の長孔24に挿通したボルト14を先に締めると、前記角度θが広がるから、それらボルト14の締める順番により前記角度θ１を調節するようにしてもよい。
【００４５】
そして、角度θ１を調節した後、端面５，５間に現場打ちコンクリート41を打設し、底板部３，３間の隙間と側板部４，４間の隙間を埋める。尚、説明のために現場打ちコンクリート41にハッチングを付している。
【００４６】
このように本実施例においても上記各実施例と同様な作用・効果を奏し、また、このように端面５，５間を広げてコンクリート部材２，２同士の角度θ１を調節することができる。
【００４７】
また、実施例上の効果として、挿通孔たる長孔23，24の数よりインサート13の数を多くし、複数のインサート13，13，13をほぼ等間隔に配置したから、使用するインサート13を選択することによりコンクリート部材２，２同士の角度θ１を調節することができる。
【実施例５】
【００４８】
図１２及び図１３は、本発明の実施例５を示し、上記各実施例と同一部分に同一符号を付し、その詳細な説明を省略して詳述する。この例では、コンクリート部材２の連結部たる端面の変形例を示し、一方の側板部４の端面５には半円状の半円部42が形成され、他方の側板部４の端面は、内側部43が前記側板部４の長さ方向と直交し、外側部が前記半円部42に対応した湾曲面部44が形成されている。
【００４９】
また、前記半円部42の中心は、両底板部３，３の端面５，５の中心を結ぶ中心線上に位置する。また、この中心線上に前記枢軸が18位置するように連結具11を配置する。
【００５０】
そして、上記実施例４と同様にして連結具11を用いてコンクリート部材２，２同士を連結し、端面５，５間に現場打ちコンクリート41を打設し、底板部３，３間の隙間と側板部４，４間の隙間を埋める。
【００５１】
このように本実施例においても、上記各実施例と同様な作用・効果を奏する。
【００５２】
また、このように本実施例では、長さ方向に隣合うコンクリート部材２，２の一方の連結部たる端面５に半円部42を形成すると共に、他方の連結部たる端面５を半円部42に対応して湾曲状に形成したから、隣合うコンクリート部材２，２の角度を調整しても、半円部42を設けた側板部４，４の端面５，５間の隙間を小さくできる。
【実施例６】
【００５３】
図１４〜図１７は、本発明の実施例６を示し、上記各実施例と同一部分に同一符号を付し、その詳細な説明を省略して詳述する。この例では、コンクリート部材として側板部４の厚さのほぼ２倍の直径を有する円柱体51を用い、この円柱体51はコンクリート部材２とほぼ同一高さをなしており、側板部４の端面５を前記円柱体51に対応した湾曲面部52に形成し、それら側板部４，４の湾曲面部52，52に接するように前記円柱体51を配置し、この円柱体51の中心は側板部４，４の内面の延長上に位置する。
【００５４】
また、前記連結具11は、その他側本体16Ａを前記円柱体51に対応して湾曲状に形成し、この湾曲状をなす他側本体16Ａに、複数の前記ボルト14，14を挿通する挿通孔たる長孔53を穿設し、一方、前記一側本体15の上り及び下り傾斜面21，22に円形の前記挿通孔36，36を穿設している。また、円柱体51には、複数の前記インサート13を円周方向等間隔に埋設固定し、一側のコンクリート部材２に連結する連結具11と、他側のコンクリート部材２に連結する連結具11の一組を、上下に近接して配置し、且つ上下に間隔を置いて二組の連結具11，11，11，11を配置する。
【００５５】
そして、一側本体15をボルト14により側板部４の内面に固定し、長孔53に挿通した複数のボルト14，14を円柱体51に仮止めし、この状態で長孔53におけるボルト14，14の位置を変更することにより、円柱体51を中心に両側のコンクリート部材２，２を回すことができ、これにより両コンクリート部材２，２のなす角度θ１を調節することができる。
【００５６】
両コンクリート部材２，２の角度θ１を調整した後、円柱体51にボルト14を締め付け固定し、底板部３，３の端面５，５間に現場打ちコンクリート41を打設する。
【００５７】
このように本実施例においても、上記各実施例と同様な作用・効果を奏する。
【００５８】
また、このように本実施例では、請求項７に対応して、長さ方向に隣合うコンクリート部材２，51の一方が円柱体51であり、他方のコンクリート部材２の連結部たる端面５を円柱体51に対応して湾曲状の湾曲面部52に形成し、連結具本体12の一側を円柱体51に対応して湾曲状に形成し、連結具本体12の一側の挿通孔たる長孔53を長さ方向に長く形成し、連結具本体12の他側に上り及び下り傾斜面21，22を設け、インサート13により他方のコンクリート部材２に連結具本体12の他側を連結し、インサート13により円柱体51に連結具本体12の一側を連結したから、長孔53におけるボルト14の位置を調整することにより、円柱体51を中心に他方のコンクリート部材２の向きを調整することができる。これにより円柱体51にもう一つのコンクリート部材２を連結することにより、コンクリート部材２，２同士の角度を調整して連結することができる。
【実施例７】
【００５９】
図１８〜図１９は、本発明の実施例７を示し、上記各実施例と同一部分に同一符号を付し、その詳細な説明を省略して詳述する。この例の連結具11は、同一形状をなす前記一側本体15と他側本体16が一体に設けられ、一側本体15と他側本体16の内面が同一平面内に位置し、一側本体15と他側本体16に、前記下り傾斜面22がそれぞれ形成され、連結具本体12が山形形状をなし、各下り傾斜面22に前記長孔24が穿設されている。
【００６０】
そして、下り傾斜面22の長孔24に挿通したボルト14を締めることにより、コンクリート部材31，31の両端面35，35間を縮めようとする力Ｆに対抗することができ、両端面35，35間の間隔を保持することができる。したがって、例えば、両端面35，35間に所定の目地代が必要な場合、その目地代を保持することができる。
【００６１】
このように本実施例では、コンクリート部材31に埋設されたインサート13と、長さ方向に隣合うコンクリート部材31，31の連結部たる端面35，35を跨いで配置される連結具本体12と、端面35，35の両側で連結具本体12の長さ方向一側と他側に設けられた挿通孔たる長孔24と、長孔24に挿通されインサート13に螺合するボルト14とを備えたコンクリート部材用連結具において、連結具本体12の外面に、長さ方向に傾斜した下り傾斜面22を設け、長孔24の少なくとも一つが下り傾斜面22に設けられているから、連結部たる端面35，35間における縮みを防止でき、上記各実施例と同様な作用・効果を奏する。
【００６２】
また、このように本実施例では、請求項３に対応して、連結具本体12には、連結部たる端面５，５の両側に、外側に向かって低くなる下り傾斜面22，22を設けたから、連結具本体12は、両側の傾斜面により略山形をなし、外側に向かって低くなる下り傾斜面22，22のボルト14，14を締めることにより、コンクリート部材31，31同士を連結することができる。
【実施例８】
【００６３】
図２０〜図２１は、本発明の実施例８を示し、上記各実施例と同一部分に同一符号を付し、その詳細な説明を省略して詳述する。この例の連結具11は、同一形状をなす前記一側本体15と他側本体16が一体に設けられ、一側本体15と他側本体16の内面が同一平面内に位置し、一側本体15と他側本体16に、前記上り傾斜面21がそれぞれ形成され、連結具本体12が略Ｖ字型をなし、各上り傾斜面21に前記長孔23が穿設されている。
【００６４】
そして、上り傾斜面21の長孔23に挿通したボルト14を締めることにより、コンクリート部材31，31の両端面35，35間を広げようとする力Ｆに対抗することができ、両端面５，５が密着することができると共に、両端面35，35間の間隔を保持することができる。
【００６５】
このように本実施例では、コンクリート部材31に埋設されたインサート13と、長さ方向に隣合うコンクリート部材31，31の連結部たる端面35，35を跨いで配置される連結具本体12と、端面35，35の両側で連結具本体12の長さ方向一側と他側に設けられた挿通孔たる長孔23と、長孔24に挿通されインサート13に螺合するボルト14とを備えたコンクリート部材用連結具において、連結具本体12の外面に、長さ方向に傾斜した上り傾斜面21を設け、長孔23の少なくとも一つが上り傾斜面21に設けられているから、連結部たる端面35，35間における伸びを防止でき、上記各実施例と同様な作用・効果を奏する。
【実施例９】
【００６６】
図２２〜図２３は、本発明の実施例９を示し、上記各実施例と同一部分に同一符号を付し、その詳細な説明を省略して詳述する。この例の上記実施例８で示した連結具11が中央で回動可能に設けられ、具体的には、連結具11は、同一形状をなす前記一側本体15と他側本体16の中央側端部に筒部17を設け、相互の筒部17，17に枢軸18を挿入し、該枢軸18を中心に一側本体15と他側本体16を回動可能に連結している。また、一側本体15と他側本体16の内面が同一平面内に位置し、一側本体15と他側本体16に、前記上り傾斜面21がそれぞれ形成され、連結具本体12が略Ｖ字型をなし、各上り傾斜面21に前記長孔23が穿設されている。
【００６７】
そして、上り傾斜面21の長孔23に挿通したボルト14を締めることにより、コンクリート部材31，31の両端面35，35間を広げようとする力Ｆに対向することができ、両端面35，35が密着することができると共に、両端面35，35間の間隔を保持することができる。
【００６８】
このように本実施例では、上記実施例８と同様な作用・効果を奏し、また、請求項５に対応して、連結具本体12を一側と他側に分割した一側本体15と他側本体16を形成し、これら一側本体15と他側本体16を回動可能に連結したから、一側と他側のコンクリート部材31，31のなす角度に対応して、一側本体15と他側本体16の角度を調節することができる。
【実施例１０】
【００６９】
図２４は、本発明の実施例１０を示し、上記各実施例と同一部分に同一符号を付し、その詳細な説明を省略して詳述する。この例の連結具11は、一側本体15及び他側本体16が上記実施例８で示した連結具と略同一形状をなし、それら一側本体15及び他側本体16を端面35，35を挟んだ両側に配置し、その中央側端部に筒部17を設け、相互の筒部17，17に枢軸18を挿入し、該枢軸18を中心に一側本体15と他側本体16を回動可能に連結している。すなわち一側本体15と他側本体16は、端面35，35側から外側に向かって下り傾斜面22と上り傾斜面21を有し、それら一側本体15と他側本体16とが中央側で回動可能に連結されている。
【００７０】
そして、端面35，35を当接するようにしてコンクリート部材31，31を配置し、上り及び下り傾斜面21，22にボルト14を挿通し、このボルト14をインサート13に螺合する。この場合、先に上り傾斜面21に挿通したボルト14を締める。こうするとテーパーワッシャ付のボルト14と上り傾斜面21との楔作用により、一側本体15と他側本体16を外側に動かす力が生じ、これによりインサート13，13によりコンクリート部材２，２同士を近付ける方向の力が得られ、両端面５，５同士が密着させる。この後、残りのボルト14を締める。
【００７１】
このように本実施例では、請求項２に対応して、連結具本体12の一側と他側に一側本体15と他側本体16を設け、これら一側本体15と他側本体16は、連結部たる端面35，35側に設けられ外側に向かって低くなる傾斜面たる下り傾斜面22と、この下り傾斜面22の外側に設けられ外側に向かって高くなる傾斜面たる上り傾斜面21とを有するから、一側本体15と他側本体16がそれぞれ略Ｖ形状をなし、ボルト14を締めると、楔作用によりインサート13を上り傾斜面22が低くなる方向に動かす力が生じる。そして、外側に向かって高くなる上り傾斜面22のボルト14を締めて端面35，35同士を密着した後、外側に向かって低くなる下り傾斜面22のボルト14を締めることにより、コンクリート部材31，31同士を強固に連結することができる。
【００７２】
尚、本発明は、本実施例に限定されるものではなく、本発明の要旨の範囲内で種々の変形実施が可能である。例えば、実施例では、連結具本体の長さ方向一側と他側に、上り及び下り傾斜面を設けたものを示したが、上り傾斜面のみ設けるようにしてもよい。また、上り及び下り傾斜面を略へ字状に配置したが、上り及び下り傾斜面を略Ｖ字状に配置してもよい。さらに、図１８で示した一側本体と他側本体とを分割し、分割した一側本体と他側本体とを回動可能に連結してもよい。
【符号の説明】
【００７３】
１  Ｌ型擁壁
２  コンクリート部材
５  端面（連結部）
11  連結具
12  連結具本体
13  インサート
14  ボルト
15  一側本体
15Ａ  一側本体
16  他側本体
16Ａ  他側本体
18  枢軸
21  上り傾斜面
22  下り傾斜面
23  長孔（挿通孔）
24  長孔（挿通孔）
25  テーパーワッシャ
31  コンクリート部材
35  端面（連結部）
36  挿通孔
42  半円部
44  湾曲面部
51  円柱体（コンクリート部材）
52  湾曲面部
53  長孔（挿通孔）
【図１】
0005433555.tif 000002
【図２】
0005433555.tif 000003
【図３】
0005433555.tif 000004
【図４】
0005433555.tif 000005
【図５】
0005433555.tif 000006
【図６】
0005433555.tif 000007
【図７】
0005433555.tif 000008
【図８】
0005433555.tif 000009
【図９】
0005433555.tif 000010
【図１０】
0005433555.tif 000011
【図１１】
0005433555.tif 000012
【図１２】
0005433555.tif 000013
【図１３】
0005433555.tif 000014
【図１４】
0005433555.tif 000015
【図１５】
0005433555.tif 000016
【図１６】
0005433555.tif 000017
【図１７】
0005433555.tif 000018
【図１８】
0005433555.tif 000019
【図１９】
0005433555.tif 000020
【図２０】
0005433555.tif 000021
【図２１】
0005433555.tif 000022
【図２２】
0005433555.tif 000023
【図２３】
0005433555.tif 000024
【図２４】
0005433555.tif 000025